(57)【要約】【課題】ファームウェアをメモリーカードなどの記憶媒体に保存する場合に、ユーザーにダウンロードを行うソフトウェアの一覧を表示し、所望のソフトウェアを選択させるテレビジョン放送受信装置では、ユーザーが自発的にダウンロードするファームウェアを選択しなければならず、ダウンロードが完了するまで待ち状態になるという課題があった。【解決手段】メモリーカードの挿抜と空き容量を監視し、ファームウェアを保存するための、十分な空き容量のあるメモリーカードを認識した場合には、バックグラウンドでインターネット上のファームウェア公開サーバに保存されているファームウェアを自動的にダウンロードし、メモリーカードに保存する。ファームウェア全体のダウンロードが完了した場合に、フラッシュメモリーに対してインストールを行う。【選択図】図１
2006254027.tif 000002
【特許請求の範囲】
【請求項１】
定期的にメモリーカードの挿抜や空き容量を監視し、ファームウェアが保存可能な容量があるメモリーカードが媒体挿入部に存在する場合に、インターネット経由でファームウェア公開サーバからファームウェアをダウンロードし、メモリーカードに保存する機能を具備することを特徴とするテレビジョン放送受信装置。
【発明の詳細な説明】
【技術分野】
【０００１】
本発明は、テレビジョン放送受信装置及びその方法に関し、更に詳しくは、プログラムコードなどが記述されたファームウェアをネットワーク経由で更新する際に、ダウンロードしたファームウェア全体を保存するのに十分な一時記憶メモリーが無いテレビジョン放送受信装置にて、ファームウェアをメモリーカードに一時保存し、フラッシュメモリーにインストールする機能を具備するテレビジョン放送受信装置及びその方法に関する。
【背景技術】
【０００２】
ダウンロードしたファームウェアをメモリーカードなどの記憶媒体に保存して、バージョンアップを行うためのテレビジョン放送受信装置が公知である（例えば、特許文献１参照）。
【特許文献１】特開２００４−０６２７８３号公報
【発明の開示】
【発明が解決しようとする課題】
【０００３】
しかしながら、上記従来のテレビジョン放送受信装置では、ユーザーが自発的にダウンロードすべきファームウェアを選択しなければならず、ファームウェアのダウンロードはユーザーが待ち状態になるという課題を有していた。
【課題を解決するための手段】
【０００４】
従来の課題を解決するために、本発明のテレビジョン放送受信装置は、設定メニューにて、空き容量のあるメモリーカードの挿入があった場合に、ファームウェアをメモリーカードに「保存する」または「しない」の選択を行う。ファームウェアを保存するための、十分な空き容量のあるメモリーカードを認識した場合には、バックグラウンドでインターネット上のファームウェア公開サーバに公開されているファームウェアをバックグラウンドで自動的にダウンロードし、メモリーカードに保存する。ファームウェア全体のダウンロードが完了した後に、フラッシュメモリーにファームウェアのインストールを行う。
【発明の効果】
【０００５】
本発明のテレビジョン放送受信装置によれば、ユーザーは、メモリーカードを媒体挿入部に挿入するだけで、ファームウェアの更新を行うことが可能になり、ファームウェアを選択する労力を軽減することができる。
【発明を実施するための最良の形態】
【０００６】
（実施の形態１）
図１は、本発明のテレビジョン放送受信装置のネットワーク構成図である。テレビジョン放送受信装置１０１と、ファームウェア公開用サーバ１０２とは、インターネットにて通信が可能であり、テレビジョン放送受信装置１０１からファームウェア公開サーバ１０２に対して、サーバ上に公開されているファームウェアのバージョンやファームウェアが公開されているＵＲＬなどの情報を記述したファームウェア固有情報ファイル（図示なし）を取得し、ファームウェアのバージョンが、現在のファームウェアのバージョンから更新されているか確認する。
【０００７】
図２は、本発明の実施の形態１に係るテレビジョン放送受信装置２００の構成を示すブロック図である。テレビジョン放送受信装置２００は、チューナ２０１と、分離部２０２と、制御部２０３と、デコード部２０４と、映像処理部２０５と、ＯＳＤ制御部２０６と、合成部２０７と、表示部２０８と、リモコン信号送受信部２０９と、媒体挿入部２１０と、媒体制御部２１１と一時記憶メモリー２１２とネットワーク制御部２１３及びフラッシュメモリー２１４から構成される。
【０００８】
チューナ２０１は、制御部２０３からの選局命令に基づいてテレビジョン放送信号を受信し、受信したテレビジョン放送信号に高周波処理及び復調処理を行い、トランスポートストリームとして分離部２０２へ出力する。
【０００９】
分離部２０２は、チューナ２０１からのトランスポートストリームをＭＰＥＧデータであるデジタル映像信号及びデジタル音声信号と番組情報等の付加情報に分離し、ＭＰＥＧデータをデコード部２０４へ出力し、付加情報を制御部２０３に出力する。
【００１０】
制御部２０３は、リモコン信号送受信部２０９から所望のチャンネルの選局要求を取得した場合は、チューナ２０１への選局要求を行うと共に、選局されたチャンネルの番組視聴時において、分離部２０２から取得した付加情報のうち、所定操作時に必要な番組情報データをＯＳＤ制御部２０６へ出力する。また、リモコン信号送受信部２０９からの各種画像表示要求又は媒体制御部２１１からの各種通知を取得した場合は、記録媒体挿入処理、画像表示切替処理又は記録媒体取出処理を行う。
【００１１】
デコード部２０４は、制御部２０３から映像処理要求を取得した場合は、分離部２０２からのＭＰＥＧデータをデコードし映像信号として映像処理部２０５へ出力する。一方、制御部２０３から画像処理要求を取得した場合は、制御部２０３からの画像データをデコードし画像信号として映像処理部２０５へ出力する。
【００１２】
映像処理部２０５は、デコード部２０４からの映像信号又は画像信号に輝度、コントラスト等の調整を行い映像データ又は画像データとして合成部２０７へ出力する。
【００１３】
ＯＳＤ制御部２０６は、制御部２０３からの番組情報データをＯＳＤ表示データとして合成部２０７へ出力する。制御部２０３からサムネイル表示要求を取得した場合は、サムネイル表示枠を整形すると共に、サムネイル表示枠と指定された位置に対応する識別表示データを含んだＯＳＤ表示データを合成部２０７へ出力する。ここで、識別表示データとは、指定された位置のサムネイル表示枠を強調表示するためのデータである。
【００１４】
合成部２０７は、映像処理部２０５からの映像データ又は画像データとＯＳＤ制御部２０６からのＯＳＤ表示データを合成し、映像信号又は画像信号として表示部２０８へ出力する。
【００１５】
表示部２０８は、制御部２０３から映像処理要求を取得した場合は、合成部２０７からの映像信号を画面表示する。一方、制御部２０３から画像処理要求を取得した場合は、合成部２０７からの画像信号を画面表示する。画面表示方法については、後ほど図４を用いて詳述する。
【００１６】
リモコン信号送受信部２０９は、リモコン２００からのリモコン信号を受信し、リモコン受信信号として制御部２０３へ出力する。また、制御部２０３からの各種要求をリモコン送信信号としてリモコン２００へ送信する。
【００１７】
媒体挿入部２１０は、ＳＤカード等のメモリーカードを挿入する挿入口である。媒体制御部２１１は、媒体挿入部２１０への記録媒体の挿入／取出を検出し、制御部２０３に対して、カード挿抜やカード容量の情報など各種通知を行う。
【００１８】
一時記憶メモリー部２１２は、ダウンロードしたファームウェアやファームウェアの固有情報を記憶する。ネットワーク制御部２１３は、インターネット経由でファームウェア公開サーバ１０２にバージョンの更新が行われているかの問い合わせを実施し、ファームウェアのバージョンが更新されていた場合にはファームウェアを取得する。
【００１９】
またフラッシュメモリー２１４にはテレビジョン放送受信装置の制御を行うためのファームウェアやパラメータなどが記憶されており、テレビジョン放送受信装置起動後に、テレビジョン放送受信装置を制御するためのプログラムが呼び出される。
【００２０】
テレビジョン放送受信装置の設定メニュー（図示なし）にて、空き容量があるメモリーカードが媒体挿入部に存在した場合に、ネットワーク上のファームウェア公開サーバから対象のファームウェアのダウンロードをするまたはダウンロードをしないという設定を行う。前記設定メニューで「ダウンロードをする」を選択した場合は、フラッシュメモリー２１４に記憶されているダウンロード実施フラグの設定値をＯＮにする。
【００２１】
テレビジョン放送受信装置２００は一定時間間隔で次に説明するＳ４０１からＳ４０８の処理を繰り返す。制御部２０３は、ダウンロード実施フラグがＯＮであるかを監視し、ＯＮである場合（Ｓ４０１でＹＥＳ）は、メモリーカードの監視（Ｓ４０２）を行う。ＯＦＦの場合は終了する。媒体制御部２１０はメモリーカードの挿抜を監視して、メモリーカードが挿入中であると判断した場合は（Ｓ４０２でＹＥＳ）、メモリーカードの空き容量を計測する。ＯＦＦの場合は終了する。メモリーカード空き容量がフラッシュメモリーより大きい場合は空き容量が十分であると判断し、（Ｓ４０３でＹＥＳ）、制御部はネットワーク制御部に対してファームウェアの取得を指示し、ネットワーク制御部は所定のＵＲＬに対してファームウェアのバージョンの情報を取得する。Ｓ４０２，Ｓ４０３でＯＦＦの場合は終了する。取得したファームウェアの固有情報からファームウェアのバージョンが更新されている場合は（Ｓ４０５でＹＥＳ）、ダウンロードを実施する。ＮＯの場合は終了する。（Ｓ４０６）ダウンロードを完了した場合（Ｓ４０７でＹＥＳ）は、メモリーカードの保存されたファームウェアをフラッシュメモリーに書き込むインストールを実施する。（Ｓ４０８）Ｓ４０７でＮＯの場合は終了する。Ｓ４０１からＳ４０８の処理は例えば５分間隔などに設定し繰り返し実施される。
【産業上の利用可能性】
【００２２】
インターネット接続が可能なテレビジョン放送受信装置において、一時記憶メモリーが少ない場合でもメモリーカードを使用することで、ネットワーク経由でのファームウェアダウンロードをメモリーカードを挿入するだけで、簡単に実施するための方法としての利用方法が考えられる。
【図面の簡単な説明】
【００２３】
【図１】テレビジョン放送受信機能付移動体通信端末のネットワーク構成図
【図２】テレビジョン放送受信機能付移動体通信端末の構成を示すブロック図
【図３】メモリダイヤルリストのデータ構造を示す図
【図４】番組情報通知メッセージ送信処理を示すフローチャート
【符号の説明】
【００２４】
１０１    テレビジョン放送受信装置
１０２    ファームウェア公開用サーバ
２００    テレビジョン放送受信装置
２０１    チューナ
２０２    分離部
２０３    制御部
２０４    デコード部
２０５    映像処理部
２０６    ＯＳＤ制御部
２０７    合成部
２０８    表示部
２０９    リモコン信号送受信部
２１０    媒体挿入部
２１１    媒体制御部
２１２    一時記憶メモリー
２１３    ネットワーク制御部
２１４    フラッシュメモリー
２１２    メモリダイヤルリスト記憶部
３００    ダウンロード中表示画面
３０１    ダウンロード中アイコン
【図１】
2006254027.tif 000003
【図２】
2006254027.tif 000004
【図３】
2006254027.tif 000005
【図４】
2006254027.tif 000006